(57)【要約】【課題】基板に向けての端子の先端の出代寸法を精度よく管理できるようにした基板用コネクタを提供する。【解決手段】コネクタハウジング１と、後端側３ｂがコネクタハウジングの後壁２から突き出た後にＬ字形に曲がっており、曲がった後に基板に向けて延びる直線部３ｃの先端３ｄが基板に半田付けされる端子３と、端子の先端をＸ−Ｙ平面上にて位置決めするアライメントプレート４とを備え、コネクタハウジングの後壁より外に突き出た端子の後端側を基板に向かうようにＬ字形に曲げる際に、直線部の先端が正規の出代寸法の位置Ｌよりも多く突き出るようにＬ字形に曲げると共に、曲がった後に基板に向けて延びる直線部の先端より手前の位置にストッパ３ｅを設け、アライメントプレートの端子挿通孔に直線部の先端を挿通させ、ストッパをアライメントプレートに弾性反発力Ｐにより押圧させて位置決めすることで、端子の先端の出代寸法を管理した。【選択図】図１
2013089386.tif 000002
【特許請求の範囲】
【請求項１】
基板の上面に底面を向けて固定されるコネクタハウジングと、
該コネクタハウジングの前後方向に沿って配設され、後端側が、該コネクタハウジングの後壁から直線状に外に突き出た後、前記基板に向かうようにＬ字形に曲がっており、曲がった後に前記基板に向けて延びる直線部の先端が前記基板に半田付けされる端子と、
前記コネクタハウジングの後部に固定され、前記基板に向けて延びる前記端子の直線部の先端が自身の端子挿通孔に挿通されることで、前記端子の直線部の先端を前記基板の上面に沿った平面上にて位置決めするアライメントプレートと、を備えた基板用コネクタにおいて、
前記コネクタハウジングの後壁より外に突き出た前記端子の後端側を前記基板に向かうようにＬ字形に曲げる際に、前記直線部の先端が正規の出代寸法の位置よりも多く突き出るようにＬ字形に曲げると共に、曲がった後に前記基板に向けて延びる前記直線部の先端より手前の位置に、前記アライメントプレートの端子挿入孔の周縁に突き当たるストッパを設け、該アライメントプレートの端子挿通孔に前記直線部の先端を挿通させ、前記ストッパをアライメントプレートの端子挿入孔の周縁に自身の弾性反発力により押圧させて位置決めすることを特徴とする基板用コネクタ。
【発明の詳細な説明】
【技術分野】
【０００１】
本発明は、コネクタハウジングの後方に延びるＬ字形に曲がった端子の先端を基板に半田付けする基板用コネクタに関するものである。
【背景技術】
【０００２】
従来、基板用コネクタの一例として、特許文献１に記載されたものが知られている。図２は特許文献１に記載された基板用コネクタで、図２（ａ）は斜視図、図２（ｂ）は側断面図である。
【０００３】
この基板用コネクタは、図２（ａ）、図２（ｂ）に示すように、基板１００の上面に底面１１ｂを向けて固定されるコネクタハウジング１１と、コネクタハウジング１１の前後方向に沿って配設され、前端側１３ａがコネクタハウジング１１の相手側コネクタ嵌合凹部１１ａ内に突出し、後端側１３ｂが、コネクタハウジング１１の後壁１２の圧入孔１２ａから直線状に外に突き出た後、基板１００に向かうようにＬ字形に曲がっており、曲がった後に基板１００に向けて延びる直線部１３ｃの先端１３ｄが基板１００のスルーホール１００ａに半田付けされる端子１３と、コネクタハウジング１１の後部に延出する左右ブラケット壁１６に係止手段１８を介して固定され、基板１００に向けて延びる端子１３の直線部１３ｃの先端１３ｄが自身の端子挿通孔１４ａに挿通されることで、端子１３の直線部１３ｃの先端１３ｄを基板１００の上面に沿った平面上にて位置決めするアライメントプレート１４と、を備えている。
【０００４】
ここで、コネクタハウジング１１の前後方向をＸ方向、左右方向をＹ方向、上下方向をＺ方向とするとき、各端子１３はＸ方向に延びるようにコネクタハウジング１１に配設され、各端子１３の後端側１３ｂの直線部１３ｃが基板１００に向かってＺ方向に延びている。そして、各端子１３の直線部１３ｃの先端１３ｄが、アライメントプレート１４の端子挿通孔１４ａをそれぞれ挿通することで、基板１００の上面に平行な平面であるＸ−Ｙ平面上において位置決めされている。
【０００５】
この基板用コネクタを製作する場合は、まず、コネクタハウジング１１の後壁１２の圧入孔１２ａに各端子１３を圧入し、圧入後に、コネクタハウジング１１の後壁１２から後方に突き出した各端子１３の後端側１３ｂを基板１００に向かうようにＬ字形に曲げる。そして、曲がった後に基板１００に向けて延びる直線部１３ｃの先端１３ｄをそれぞれアライメントプレート１４の端子挿通孔１４ａに挿通させながら、アライメントプレート１４をコネクタハウジング１１の後部の左右ブラケット１６に係止手段１８を介して組み付ける。こうすることで、各端子１３の直線部１３ｃの先端１３ｄを、基板１００の上面に沿った平面上、つまりＸ−Ｙ平面上において適正に位置決めすることができる。
【先行技術文献】
【特許文献】
【０００６】
【特許文献１】特開２００５−１２３１２０号公報
【発明の概要】
【発明が解決しようとする課題】
【０００７】
ところで、上記従来の基板用コネクタにおいては、アライメントプレート１４によって、端子１３の直線部１３ｃの先端１３ｄをＸ−Ｙ平面上において位置決めすることはできるが、Ｚ方向の位置は管理していなかった。従って、たとえ組立時にＺ方向の出代寸法を満足させていても、その後の基板１００に半田付けを行うまでの間に、外力が加わったりして端子１３が変形した場合に、出代寸法が適正範囲から外れてしまう可能性があった。その結果として、例えば、出代寸法が適正範囲より大きくなった場合は、基板１００に半田付けした後に端子１３の先端１３ｄが基板１００の下面側の他部品に接触する可能性が出てきたり、出代寸法が適正範囲より小さくなった場合は、基板１００と端子１３の先端１３ｄの半田接合面の面積が確保できなくなり、半田接続部の信頼性に影響を与える可能性が出てきたりするおそれがあった。
【０００８】
本発明は、上述した事情に鑑みてなされたものであり、その目的は、基板に向けての端子の先端の出代寸法を精度よく管理できるようにした基板用コネクタを提供することにある。
【課題を解決するための手段】
【０００９】
本発明の上記目的は、下記の構成により達成される。
（１）  基板の上面に底面を向けて固定されるコネクタハウジングと、
該コネクタハウジングの前後方向に沿って配設され、後端側が、該コネクタハウジングの後壁から直線状に外に突き出た後、前記基板に向かうようにＬ字形に曲がっており、曲がった後に前記基板に向けて延びる直線部の先端が前記基板に半田付けされる端子と、
前記コネクタハウジングの後部に固定され、前記基板に向けて延びる前記端子の直線部の先端が自身の端子挿通孔に挿通されることで、前記端子の直線部の先端を前記基板の上面に沿った平面上にて位置決めするアライメントプレートと、を備えた基板用コネクタにおいて、
前記コネクタハウジングの後壁より外に突き出た前記端子の後端側を前記基板に向かうようにＬ字形に曲げる際に、前記直線部の先端が正規の出代寸法の位置よりも多く突き出るようにＬ字形に曲げると共に、曲がった後に前記基板に向けて延びる前記直線部の先端より手前の位置に、前記アライメントプレートの端子挿入孔の周縁に突き当たるストッパを設け、該アライメントプレートの端子挿通孔に前記直線部の先端を挿通させ、前記ストッパをアライメントプレートの端子挿入孔の周縁に自身の弾性反発力により押圧させて位置決めすることを特徴とする基板用コネクタ。
【００１０】
上記（１）の構成の基板用コネクタによれば、アライメントプレートの端子挿通孔に端子の後端側の直線部の先端を挿通させ、直線部の途中に設けたストッパをアライメントプレートの端子挿入孔の周縁に弾性反発力によって押圧させているので、端子の直線部の先端の出代寸法を精度よく管理することができる。つまり、ストッパがアライメントプレートに突き当たっているので、基板に向けての端子の先端の出代寸法が増えることはないし、また、ストッパがアライメントプレートに弾性反発力をもって押圧しているので、基板に向けての端子の先端の出代寸法が減ることもなく、出代寸法が適正公差内に精度よく管理される。
【発明の効果】
【００１１】
本発明によれば、基板に向けての端子の先端の出代寸法を精度よく管理することができる。従って、例えば、基板に向けての端子の先端の出代寸法が適正範囲より大きくなることにより、基板に半田付けした後に端子の先端が基板の下面側の他部品に接触する可能性や、出代寸法が適正範囲より小さくなることにより、基板と端子の先端の半田接合面の面積が確保できなくなって、半田接続部の信頼性に影響を与える可能性などを排除することができる。
【図面の簡単な説明】
【００１２】
【図１】本発明の実施形態の基板用コネクタの要部構成を示す側断面図であり、図１（ａ）はアライメントプレートをコネクタハウジングに組み付ける前の状態を示す図、図１（ｂ）はアライメントプレートをコネクタハウジングに組み付けた後の状態を示す図である。
【図２】従来の基板用コネクタの構成図で、図２（ａ）は斜視図、図２（ｂ）は側断面図である。
【発明を実施するための形態】
【００１３】
以下、本発明の実施形態を図面を参照して説明する。
図１は実施形態の基板用コネクタの要部構成を示す側断面図であり、図１（ａ）はアライメントプレートをコネクタハウジングに組み付ける前の状態を示す図、図１（ｂ）はアライメントプレートをコネクタハウジングに組み付けた後の状態を示す図である。なお、図１（ａ）、図１（ｂ）は要部構成のみを示しているが、図面に表れていない構成要素は図２（ａ）、図２（ｂ）のものと類似であるので、必要に応じて図２（ａ）、図２（ｂ）を流用して説明する。
【００１４】
図１に示すように、この基板用コネクタは、基板（図１（ａ）、図１（ｂ）では図示しないが、図２（ａ）、図２（ｂ）の基板１００と同様のもの）に固定されるコネクタハウジング１と、複数の端子３と、アライメントプレート４と、から構成されている。ここでは、図２（ａ）、図２（ｂ）の場合と同様に、基板の上面に平行な平面内のコネクタハウジング１１の前後方向をＸ方向、左右方向をＹ方向、基板に垂直なコネクタハウジング１の上下方向をＺ方向とする。
【００１５】
コネクタハウジング１は、基板の上面に底面１ｂを向けて固定されるもので、端子３は、コネクタハウジング１１の前後方向（Ｘ方向）に沿って配設されている。端子３の前端側３ａは、コネクタハウジング１の前側を向いた相手側コネクタ嵌合凹部１ａ内に突出している。また、端子３の後端側３ｂは、コネクタハウジング１の後壁２の圧入孔２ａから直線状に外に突き出た後、基板に向かうようにＬ字形に曲がっており、曲がった後に基板に向けて延びる直線部３ｃの先端３ｄが、基板のスルーホールに通されて半田付けされるようになっている。
【００１６】
また、アライメントプレート４は、コネクタハウジング１の後部に延出する左右ブラケット壁（図１（ａ）、図１（ｂ）では図示しないが、図２（ａ）、図２（ｂ）の左右ブラケット壁１６と同様のもの）に係止手段（図１（ａ）、図１（ｂ）では図示しないが、図２（ａ）、図２（ｂ）の係止手段１８と同様のもの）を介して一定位置に固定されるもので、基板に向けて延びる端子３の直線部３ｃの先端３ｄがそれぞれ挿通される複数の端子挿通孔４ａを有している。端子３の直線部３ｃの先端３ｄをそれぞれアライメントプレート４の端子挿通孔４ａに挿通させることで、端子３の直線部３ｃの先端３ｄを、基板の上面に沿った平面つまりＸ−Ｙ平面上において位置決めすることができる。
【００１７】
また、端子３は、コネクタハウジング１の後壁２より外に突き出た後端側３ｂが基板に向かうようにＬ字形に曲げられる際に、図１（ａ）に示すように、直線部３ｃの先端３ｄが正規の出代寸法の位置Ｌよりも多く突き出るようにＬ字形に曲げられている。また、曲がった後に基板に向けて延びる直線部３ｃの先端３ｄより手前の位置には、アライメントプレート４の端子挿入孔４ａの周縁に突き当たるストッパ３ｅが設けられている。
【００１８】
そして、図１（ａ）の矢印Ｓのようにアライメントプレート４を持ち上げて、アライメントプレート４の端子挿通孔４ａに端子３の直線部３ｃの先端ｄを挿通させ、ストッパ３ｅを、図１（ｂ）に示すように、アライメントプレート４の端子挿入孔４ａの周縁に端子３の弾性反発力Ｐによって押圧させて位置決めすることにより、端子３の直線部３ｃの先端３ｄの基板に向けての出代寸法が管理されている。
【００１９】
この基板用コネクタを製作する場合は、まず、コネクタハウジング１の後壁２の圧入孔２ａに各端子３を圧入し、圧入後に、図１（ａ）に示すようにコネクタハウジング１の後壁２から後方に突き出した各端子３の後端側３ｂを基板に向かうようにＬ字形に曲げる。その際、直線部３ｃの先端３ｄが正規の出代寸法の位置Ｌよりも多く突き出るようにＬ字形に曲げる。次いで、アライメントプレート４の端子挿通孔４ａに端子３の直線部３ｃの先端３ｄを挿通させながら、アライメントプレート４を矢印Ｓのように移動してコネクタハウジング１に組み付ける。
【００２０】
組み付けるに従って、アライメントプレート４の端子挿通孔４ａの周縁上面がストッパ３ｅに当たり、更に持ち上げてアライメントプレート４を適正位置に係止すると、ストッパ３ｅを介して端子１３の後端側３ｂが弾性変形しながら押し戻されて、図１（ｂ）に示すように、端子３の直線部３ｃの先端３ｄが正規の出代寸法の位置Ｌに保持される。このとき、端子３の弾性反発力Ｐにより、ストッパ３ｅはアライメントプレート４の端子挿入孔４ａの周縁に押圧した状態で位置決めされる。それにより、端子３の直線部３ｃの先端３ｄの基板に向けての出代寸法（Ｚ方向における端子３の先端３ｄの位置）が管理される。
【００２１】
本実施形態の基板用コネクタによれば、アライメントプレート４の端子挿通孔４ａに端子３の後端側３ｂの直線部３ｃの先端３ｄを挿通させ、直線部３ｃの途中に設けたストッパ３ｅをアライメントプレート４の端子挿入孔４ａの周縁に弾性反発力Ｐによって押圧させているので、端子３の直線部３ｃの先端３ｄの出代寸法を精度よく管理することができる。
【００２２】
つまり、ストッパ３ｅがアライメントプレート４に突き当たっているので、基板に向けての端子３の先端３ｄの出代寸法が増えることはないし、また、ストッパ３ｅがアライメントプレート４に弾性反発力Ｐをもって押圧しているので、基板に向けての端子３の先端３ｄの出代寸法が減ることもなく、出代寸法が適正公差内に精度よく管理される。従って、例えば、基板に向けての端子３の先端３ｄの出代寸法が適正範囲より大きくなることにより、基板に半田付けした後に端子３の先端３ｄが基板の下面側の他部品に接触する可能性や、出代寸法が適正範囲より小さくなることにより、基板と端子３の先端３ｄの半田接合面の面積が確保できなくなって、半田接続部の信頼性に影響を与える可能性などを排除することができる。
【００２３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２４】
１  コネクタハウジング
１ｂ  底面
２  コネクタハウジングの後壁
３  端子
３ｂ  後端側
３ｃ  直線部
３ｄ  先端
３ｅ  ストッパ
４  アライメントプレート
４ａ  端子挿通孔
１００  基板
Ｘ  コネクタハウジングの前後方向
Ｙ  コネクタハウジングの左右方向
Ｚ  コネクタハウジングの上下方向（基板に垂直な方向）
Ｌ  正規の出代寸法の位置
【図１】
2013089386.tif 000003
【図２】
2013089386.tif 000004